(57)【要約】【課題】本発明は、体温が所定温度以上であるか否かを容易に判別させる。【解決手段】本発明は、密閉部２が装着者の外耳道１１の内表面に所定圧で当接されて該外耳道１１を密閉し、密閉部２における密閉される密閉空間１１Ａに接する上面２Ａに配される変化部３が所定温度以上になると不可逆に変化し、密閉部２の内部に配される伝達部５を介して密閉部２における密閉空間１１Ａに対して外部とされる空間に接する底面２Ｂに配される標識部４に到達することにより、装着者の体温が所定温度以上であることを標識部４により装着した状態のまま判別させることができる。【選択図】図３
2013068448.tif 000002
【特許請求の範囲】
【請求項１】
外耳道の内表面に所定圧で当接され、当該外耳道を密閉する密閉部と、
上記密閉部における外耳道の密閉される空間に接する面に配され、所定温度以上になると不可逆に変化する変化部と、
上記変化部における変化結果を、上記密閉部における上記外耳道の密閉される空間に対して外部とされる空間と接する面に伝達する伝達部と
を有することを特徴とする耳内挿入型体温計。
【請求項２】
上記密閉部における上記外耳道の密閉される空間に対して外部とされる空間と接する面に配され、上記伝達部により伝達される反応結果を標識する標識部
をさらに有することを特徴とする請求項１に記載の耳内挿入型体温計。
【請求項３】
上記変化部は、所定温度以上になると不可逆に変化する液体でなり、
上記伝達部は、親水性の部材でなる
ことを特徴とする請求項１に記載の耳内挿入型体温計。
【請求項４】
上記伝達部は、透明な部材でなる
ことを特徴とする請求項１に記載の耳内挿入型体温計。
【発明の詳細な説明】
【技術分野】
【０００１】
本発明は、耳内挿入型体温計に関し、例えば所定温度以上の体温であるか否かを判別させる場合に適用して好適なものである。
【背景技術】
【０００２】
現在、一部の地域で発生した感染症（例えば２００３年のＳＡＲＳや２００９年の新型インフルエンザ）を他の地域に持ち込ませないようにする水際対策が空港などでは求められる。
【０００３】
この対策として、感染症に感染すると体温が高温になることからサーモグラフィによる非接触赤外線体温測定が提案されている。しかしながら、サーモグラフィは身体表面（皮膚）の温度を測定しているため身体深部の中核温を測定することができず、身体深部が高温であるにもかかわらず身体表面（皮膚）は外気温の影響や発汗などで冷却されて高温にならない場合には見逃してしまう恐れがある。
【０００４】
一方、身体深部の中核温を測定する体温計としては、先端を耳内に挿入して鼓膜付近の温度を測定するようになされたものが提案されている（例えば、特許文献１参照）。
【先行技術文献】
【特許文献】
【０００５】
【特許文献１】特開２０１０−８２０１０公報
【発明の概要】
【発明が解決しようとする課題】
【０００６】
ところで、上述した体温計は、耳内に先端部を挿入させ、その体温が表示部に表示されるようになされている。
【０００７】
そのため、例えばジェット旅客機のように数百人の乗客が一度に降りてくるような場合には全ての乗客に体温を測定させ、また全ての乗客の体温が高温とされる所定温度以上であるか否かを判別させる作業は容易ではない。
【０００８】
本発明は以上の点を考慮してなされたもので、体温が所定温度以上であるか否かを容易に判別させ得る耳内挿入型体温計を提案しようとするものである。
【課題を解決するための手段】
【０００９】
かかる課題を解決するため本発明は、耳内挿入型体温計であって、外耳道の内表面に所定圧で当接され、当該外耳道を密閉する密閉部と、密閉部における外耳道の密閉される空間に接する面に配され、所定温度以上になると不可逆に変化する変化部と、変化部における変化結果を、密閉部における外耳道の密閉される空間に対して外部とされる空間と接する面に伝達する伝達部とを有する。
【００１０】
これにより、外耳道における密閉部に密閉される空間が所定温度以上になると変化部が不可逆に変化してその変化結果が伝達部を介して密閉部における密閉される空間に対して外部とされる空間に接する面に伝達されるので、装着者の体温が所定温度以上であることを装着した状態のまま確認させることができる。
【００１１】
また、１回使用の使い捨てとすることができるので、不特定の多数の人の使用が容易である。１回使用の使い捨てとすることで、管理も容易で、より安全に使用することができる。
【発明の効果】
【００１２】
本発明によれば、装着者の体温が所定温度以上であることを装着した状態のまま確認させることができ、かくして体温が所定温度以上であるか否かを容易に判別させることができる。
【図面の簡単な説明】
【００１３】
【図１】耳内挿入型体温計の構成を示す略線図である。
【図２】変化部の構成を示す略線図である。
【図３】耳内挿入型体温計の装着時の様子を示す略線図である。
【図４】他の実施の形態における耳内挿入型体温計の構成（１）を示す略線図である。
【図５】他の実施の形態における耳内挿入型体温計の構成（２）を示す略線図である。
【発明を実施するための形態】
【００１４】
以下に、図面について、本発明の一実施の形態を詳述する。
【００１５】
＜１．第１の実施の形態＞
〔１−１．耳内挿入型体温計の構成〕
耳内挿入型体温計１は、図１（Ａ）及び（Ｂ）に示すように、密閉部２、変化部３、標識部４及び伝達部５により構成される。
【００１６】
密閉部２は、例えばウレタンフォームのような弾性体である合成樹脂材でなり、外耳道の内径より若干大きな直径で一端が丸められた略円柱形状に形成される。
【００１７】
密閉部２の一端側の上面２Ａには変化部３が設けられ、該密閉部２の他端側の底面２Ｂには標識部４が設けられる。また密閉部２は、上面２Ａから底面２Ｂにかけて中心を貫通する孔が設けられ、該孔に伝達部５が設けられる。
【００１８】
変化部３は、図２に示すように、上面２Ａにおける伝達部５が設けられる孔を覆う位置に配され、例えばポリエチレンでなるフィルム膜３Ａにより反応物３Ｂ、及び反応物３Ｄを含有する特異温度溶融物３Cが覆われる。なおフィルム膜３Ａは伝達部５と当接する部分には設けられていない。
【００１９】
反応物３Ｂ及び３Ｄは、それぞれ例えば、電子供与性呈色性有機化合物と、電子受容性化合物との組合せが上げられる。上記電子供与性呈色性有機化合物としては、クリスタルバイオレットラクトン（青）、３，６−ジメトキシフルオラン（黄）、３−ジエチルアミノ−６−メチル−７−クロロフルオラン（朱）、ローダミンＢラクタム（赤）、３−ジエチルアミノ−７−ベンジルアミノフルオラン（緑）、３−ジエチルアミノ−６−メチル−７−アニリドフルオラン（黒）などが挙げられる。   
【００２０】
電子受容性化合物としては、t-ブチルフェノール、p-オキシ安息香酸メチル、没食子酸プロピルなどフェノール性水酸基を有する化合物やそれらの金属塩、マレイン酸、フマール酸、酢酸、プロピオン酸など芳香族カルボン酸及び炭素数２〜５の脂肪族カルボン酸やそれらの金属塩、メチルアシッドホスフェート、エチルアシッドホスフェート、フェニルアシッドホスフェートなど酸性リン酸エステルやそれらの金属塩、１，２，３−トリアゾール、４−ヒドロキシ−１，２，３−トリアゾール、５，５’−ビス（１，２，３−トリアゾール）など１，２，３−トリアゾール及びその誘導体から選ばれる化合物が挙げられる。無機系では金属錯塩等が、有機系では縮合芳香環置換エチレン誘導体、液晶、染料系組成物等が挙げられる。
【００２１】
特定温度溶融物３Ｃは、例えば融点が３０〜４２℃の温度に調整する場合は、ミリスチルアルコール、セチルアルコールなどのアルコール類、ステアリル酸メチルなどのエステル類、エーテル類、ケトン類の有機極性化合物が挙げられる。より好ましくは、発色及び消色のヒステリシス幅が小さくなるように、３℃以下のΔＴ（融点−曇点）を示す脂肪族エステルが用いられ、かかる脂肪族エステルとしては、例えばエルカ酸ステアリル、ベヘン酸２−メチルブチル、ベヘン酸３−メチルブチルなどが挙げられる。本発明における温度調整剤としては、上記に例示した物質を単独で用いてもよいし、２種以上を適宜組み合わせて用いてもよい。
【００２２】
上記のような所定温度以上になると溶解する特定温度溶融物３Cは、人が高温であるとされる例えば３７．５℃で溶解するように設定するとよい。特定温度溶融物３Ｃは、上面２Ａにおいて伝達部５と当接されており、所定温度未満では固化しており反応物３Ｂと反応物３Ｄの反応を妨げている。
【００２３】
標識部４は、例えば特定温度溶融物３Cが濡れる繊維材でなり、底面２Ｂにおいて伝達部５と当接するように該底面２Ｂの中央に配される。伝達部５は、例えばプラスチックの管の中に前記繊維材が設けられる構造でなり、一端が変化部３に当接して他端が標識部４に当接するように密閉部２の中央の孔内に配される。
【００２４】
耳内挿入型体温計１では、変化部３の温度が所定温度である３７．５℃未満である場合、特定温度溶融物３Ｃが溶解しないので何も変化しない。
【００２５】
これに対して耳内挿入型体温計１では、変化部３の温度が所定温度である３７．５℃以上になると特定温度溶融物３Ｃが溶解して反応物３Ｂ及び３Ｄが反応する。反応物３Ｂ及び３Ｄは混合することにより色が変化する。
【００２６】
また耳内挿入型体温計１では、特定温度溶融物３Ｃが溶解することにより、反応物３Ｂ及び３Ｄが混合して色が変化した液が伝達部５に浸水し、該伝達部５を通して標識部４に到達する。そして標識部４では、反応物３Ｂ及び３Ｄが混合して色が変化した液が全体に広がる。
【００２７】
従って耳内挿入型体温計１は、変化部３の温度が所定温度である３７．５℃以上であることを、該変化部３に対して密閉部２における反対側の面（底面２Ｂ）に配される標識部４により確認させることができる。
【００２８】
耳内挿入型体温計１は、装着者の耳内に装着される場合、図３（Ａ）及び（Ｂ）に示すように、密閉部２の側面が潰されるようにして外耳道１１内に変化部３が配される上面２Ａ側から、外耳道１１における入口側の屈曲部分に変化部３が位置するまで挿入される。
【００２９】
そして耳内挿入型体温計１は、潰されていた密閉部２が元の状態に戻ろうとして外耳道１１の内表面に周方向に渡って所定圧で当接する。これにより耳内挿入型体温計１は、密閉部２による復元力で外耳道１１内に保持されると共に、密閉部２により外耳道１１における耳内挿入型体温計１から鼓膜１２までの空間（以下、これを密閉空間とも呼ぶ）１１Ａを密閉する。
【００３０】
ところで鼓膜１２は、心臓から脳へ血液を運ぶための内頚動脈１３が近傍を通っているため、該内頚動脈１３の温度とほぼ同じ温度である中核温に保持される。
【００３１】
一方、外耳道１１は、入口（体表）付近が外気温の影響を受けて中核温より低い温度になるので、鼓膜１２から入口（体表）にかけて温度が下がる温度勾配を有する。しかしながら外耳道１１における密閉空間１１に接する内表面は、体表に対して内側にあるのでほぼ中核温に保持される。
【００３２】
従って密閉空間１１Ａは、外耳道１１及び鼓膜１２の表面温度とほぼ同じ温度である中核温になる。
【００３３】
耳内挿入型体温計１は、変化部３が密閉空間１１Ａ内に配されるので、密閉空間１１Ａの温度が所定温度である３７．５℃以上になると特定温度溶融物３Ｃが溶解することにより、反応物３Ｂ及び３Ｄが混合して色が変化した液が伝達部５を通して標識部４に到達する。
【００３４】
これにより耳内挿入型体温計１は、装着者の体温が所定温度である３７．５℃以上であるか否かを、装着者が耳内挿入型体温計１を装着している状態で、標識部４により確認させることができる。
【００３５】
〔１−２．動作及び効果〕
以上の構成において耳内挿入型体温計１は、密閉部２が装着者の外耳道１１の内表面に所定圧で当接されて該外耳道１１を密閉し、密閉部２における密閉される密閉空間１１Ａに接する上面２Ａに変化部３が配される。
【００３６】
変化部３は、密閉空間１１Ａが所定温度（例えば３７．５℃）以上になると不可逆に変化し、その変化結果として色が変化した反応物３Ｂ及び３Ｄの混合液が密閉部２の内部に配される伝達部５を介して密閉部２における密閉空間１１Ａに対して外部とされる空間に接する底面２Ｂに配される標識部４に到達して広がる。
【００３７】
これにより耳内挿入型体温計１は、標識部４を確認させるにより装着者の体温が所定温度以上であるか否かを装着した状態のまま判別させることができる。従って、例えば空港で使用される場合、耳内挿入型体温計１は、旅客機から降りてくる乗客に装着され、乗客が移動している際の所定位置で例えば標識部４の色に反応する装置や点検員により標識部４を確認させるだけでその装着者が所定温度以上であるか否かを容易に判別させることができる。
【００３８】
また耳内挿入型体温計１は、サーモグラフィのように体表の温度を測定するのではなくほぼ中核温を測定しているので、より正確に装着者の体温が所定温度以上であるか否かを判定することができる。
【００３９】
さらに耳内挿入型体温計１は、密閉部２、変化部３、標識部４及び伝達部５が設けられるといった簡易な構成で装着者の体温が所定温度以上であるか否かを判別させることができる。
【００４０】
〔１−３．他の実施の形態〕
上述した実施の形態においては、変化部３として混合することにより色が変化する反応物３Ｂ及び３Ｄを所定温度以上で溶解する特定温度溶融物３Ｃで隔離すると共に、反応物３Ｂ及び３Ｄと伝達部５を特定温度溶融物３Ｃで隔離するようにしておき、所定温度以上になり特定温度溶融物３Ｃが溶解して混合することにより反応した反応物３Ｂ及び３Ｄが伝達部５を介して標識部４に伝達するようにした場合について述べた。本発明はこれに限らない。
【００４１】
一例として、図４（Ａ）に示すように、耳内挿入型体温計２０は、混合することにより色が変化する反応物２１Ｂ及び２１Ｄのうち、例えば反応物２１Ｂが変化部２１におけるフィルム膜２１Ａ内だけでなく伝達部５及び標識部４にも染込まされる。
【００４２】
そして変化部２１におけるフィルム膜２１Ａ内に所定温度以上で溶解する特定温度溶融物２１Cに包まれた反応物２１Ｄが配される。
【００４３】
従って耳内挿入型体温計２０は、装着者の耳介に挿入され密閉空間１１Ａが所定温度以上になると、特定温度溶融物２１Ｃが溶解して反応物２１Ｄがフィルム膜内２１、伝達部５及び標識部４に含まれる反応物２１Ｂと混合して色が変化する。
【００４４】
これにより耳内挿入型体温計２０は、耳内挿入型体温計１と同様に、標識部４を確認させるだけでその装着者の体温が所定温度以上であるか否かを装着した状態で確認させることができる。
【００４５】
また別例として、図４（Ｂ）に示すように、耳内挿入型体温計３０は、変化部３１としてフィルム膜３１Ａ内に色の付いた液３１Ｂが入れられ、該液３１Ｂと伝達部５とを所定温度以上で溶解する特定温度溶融物３１Ｃで隔離する。
【００４６】
耳内挿入型体温計３０は、装着者の耳介に挿入され密閉空間１１Ａが所定温度以上になると、特定温度溶融物３１Ｃが溶解して伝達部５及び標識部４に液３１Ｂが染込む。これにより耳内挿入型体温計３０は、耳内挿入型体温計１と同様に、標識部４を確認させるだけでその装着者の体温が所定温度以上であるか否かを装着した状態で判別させることができる。
【００４７】
なお耳内挿入型体温計３０では、液３１Ｂとして色の付いた液を適用するようにしたが、例えば可視光があてられたときは透明で紫外線が当てられることにより色を発する液を適用してもよい。
【００４８】
さらに別例として、図４（Ｃ）に示すように、耳内挿入型体温計４０は、変化部４１としてフィルム膜４１Ａ内に所定温度以上で溶解して液化するワックス４１Ｂが設ける。
【００４９】
耳内挿入型体温計４０は、装着者の耳介に挿入され密閉空間１１Ａが所定温度以上になると、ワックス４１Ｂが溶解して液化し、その液が伝達部５及び標識部４に染込む。これにより耳内挿入型体温計４０は、耳内挿入型体温計１と同様に、標識部４を確認させるだけでその装着者の体温が所定温度以上であるか否かを装着した状態で判別させることができる。
【００５０】
なお耳内挿入型体温計１、２０、３０及び４０では、標識部４を設けるようにした場合について述べたが、標識部４を設けることなく伝達部５の底面２Ｂ側を外部に露出させるようにしてもよい。これにより伝達部５が伝達部及び標識部として機能する。
【００５１】
さらに別例として、図５に示すように、耳内挿入型体温計５０は、密閉部５２の中心に耳内挿入型体温計１の密閉部２の場合と比して大きな孔が設けられ、該孔に例えばグラスファイバや高透明樹脂（ＰＭＭAなど）などの透明な材質でなる伝達部５３が配される。
【００５２】
また耳内挿入型体温計５０は、密閉部５２の上面５２Ａに変化部５１が設けられる。変化部５１は、混合することにより色が変化する反応物５１Ｂ及び５１Ｄが所定温度以上で溶解する特定温度溶融物５１Ｃで隔離してフィルム膜５１Ａ内に配される。
【００５３】
耳内挿入型体温計５０は、変化部５１が外耳道１１の内側に位置するように挿入され、密閉空間１１Ａが所定温度以上になると、特定温度溶融物５１Ｃが溶解して反応物５１Ｂ及び５１Ｄが混合することにより色が変化する。
【００５４】
このとき耳内挿入型体温計５０は、密閉部５２における密閉空間１１Ａに対して外部とされる空間に接する底面５２Ｂ側から伝達部５３を介して変化部５１を見せることにより、混合することにより色が変化した反応物５３Ｂ及び５３Ｄを確認させることができる。
【００５５】
従って耳内挿入型体温計５０は、伝達部５３を介して変化部５１を確認させるだけでその装着者の体温が所定温度以上であるか否かを装着した状態で判別させることができる。
【産業上の利用可能性】
【００５６】
本発明は、例えば空港等で一度に多数の人の体温を確認する場合に適用することができる。
【符号の説明】
【００５７】
１、２０、３０、４０、５０……耳内挿入型体温計、２、２１、３１、４１、５１……密閉部、３、１０３……変化部、４、１０４……標識部、５４、１０５……伝達部、１１……外耳道、１２……鼓膜、１３……内頚動脈。
【図１】
2013068448.tif 000003
【図２】
2013068448.tif 000004
【図３】
2013068448.tif 000005
【図４】
2013068448.tif 000006
【図５】
2013068448.tif 000007